(57)【要約】    【課題】    効果的に使用者の背中の暑さや汗による蒸れ等を防ぎつつ掃除機本体を背負った状態で清掃作業を行うことができる電気掃除機の提供。    【解決手段】  掃除機本体１０の背面側に、掃除機本体１０を背負った状態において使用者の背中と掃除機本体１０との間に介在する背板３２が、掃除機本体１０との間に水平方向間隔を設けた状態で取付部３３により支持されている。背板３２のうち、掃除機本体１０を背負った状態において使用者の背中に面する表面側に、上下方向に連続して上下端部がそれぞれ上下に開放した溝状通気部３４を有し、溝状通気部３４をそれぞれ挟む両側には、クッション性材料からなる背中支持部３６が上下連続状に設けられている。この溝状通気部３４は、背板３２の表面が溝底部を構成し、両側の背中支持部３６が溝側部を構成する。【選択図】      図１
2005323917.tif 000002
【特許請求の範囲】
【請求項１】
電動機を備えた掃除機本体を使用者が背負うことができる背負い式の電気掃除機であって、
前記掃除機本体には、掃除機本体を背負った状態において使用者の背中と掃除機本体との間に介在して両者間を遮る背板が、掃除機本体との間に間隔を設けた状態で支持されており、
前記背板のうち、掃除機本体を背負った状態において使用者の背中に面する表面側に、上下方向に連続して上下端部がそれぞれ上下に開放した１又は２以上の溝状通気部を有し、溝状通気部をそれぞれ挟む両側に、クッション性材料からなる背中支持部が上下方向に設けられていることを特徴とする電気掃除機。
【請求項２】
上記溝状通気部が、上記背板の表面が溝底部を構成し、両側の上記背中支持部が溝側部を構成するものである請求項１記載の電気掃除機。
【請求項３】
上記背中支持部が上下連続状をなす請求項１又は２記載の電気掃除機。
【発明の詳細な説明】
【技術分野】
【０００１】
本発明は、掃除機本体を背負った状態で清掃作業を行うことができる電気掃除機に関する。
【背景技術】
【０００２】
特開２００２−３２０５７４号公報（特許文献１）には、従来の背負い式の電気掃除機の一例として、人間の背中の凸湾曲に沿うように凹湾曲させた背当て部分を備えた背負い式の電気掃除機が示されている。この背負い式の電気掃除機では、背当て部分が凹に湾曲しているため背中の形状に本体が沿う形となり長時間使用した場合など使用者の疲労が緩和される。また、湾曲形状の背当て部分上側よりも背当て部分上側が出張るようにすれば使用者の腰でしっかり支えることが可能となる。
【特許文献１】特開２００２−３２０５７４号公報
【発明の開示】
【発明が解決しようとする課題】
【０００３】
ところが、このような背負い式の電気掃除機本体は、使用中、電動機の作動により発熱するため、使用者は背中の暑さに耐えながら清掃作業を行わなければならなかった。
【０００４】
また、背中に汗をかいて蒸れた状態で、電動機の振動に耐えつつ清掃作業を続けざるを得ないことも往々にしてあった。
【０００５】
本発明は、従来技術に存した上記のような課題に鑑み行われたものであって、その目的とするところは、効果的に使用者の背中の暑さや汗による蒸れ並びに電動機による振動等を防ぎつつ掃除機本体を背負った状態で清掃作業を行うことができる電気掃除機を提供することにある。
【課題を解決するための手段】
【０００６】
上記目的を達成する本発明の電気掃除機は、
電動機を備えた掃除機本体を使用者が背負うことができる背負い式の電気掃除機であって、
前記掃除機本体には、掃除機本体を背負った状態において使用者の背中と掃除機本体との間に介在して両者間を遮る背板が、掃除機本体との間に間隔を設けた状態で支持されており、
前記背板のうち、掃除機本体を背負った状態において使用者の背中に面する表面側に、上下方向に連続して上下端部がそれぞれ上下に開放した１又は２以上の溝状通気部を有し、溝状通気部をそれぞれ挟む両側に、クッション性材料からなる背中支持部が上下方向に設けられていることを特徴とする。
【０００７】
使用者が背負う掃除機本体は、使用中、電動機の作動により発熱する。ところが、掃除機本体を背負った状態において使用者の背中と掃除機本体との間に背板が介在し、掃除機本体と使用者の背中を遮っており、而も背板は掃除機本体との間に間隔を設けた状態で支持されているため、掃除機本体から使用者に伝わる熱量が効果的に低減される。
【０００８】
更に、背板のうち、掃除機本体を背負った状態において使用者の背中に面する表面側に、上下方向に連続して上下端部がそれぞれ上下に開放した１又は２以上の溝状通気部を有し、溝状通気部をそれぞれ挟む両側に、背負い心地を良くして掃除機本体の電動機による振動を低減させることができるクッション性材料からなる背中支持部が上下方向に設けられているので、溝状通気部と使用者の背中の面により、上下方向の通気孔が形成される。この通気孔を、掃除機本体から伝わる熱等による上向きの気流が流れるので、使用者の背中の暑さや汗による蒸れが効果的に防がれる。
【０００９】
本発明の電気掃除機は、上記溝状通気部が、上記背板の表面が溝底部を構成し、両側の上記背中支持部が溝側部を構成するものとすることが好ましい。
【００１０】
また本発明の電気掃除機は、上記背中支持部が上下連続状をなすものであることが好ましい。
【発明の効果】
【００１１】
本発明の電気掃除機における掃除機本体には、掃除機本体を背負った状態において使用者の背中と掃除機本体との間に介在して両者間を遮る背板が、掃除機本体との間に間隔を設けた状態で支持されているため、掃除機本体から使用者に伝わる熱量が効果的に低減される。更に、背板のうち、掃除機本体を背負った状態において使用者の背中に面する表面側に、上下方向に連続して上下端部がそれぞれ上下に開放した１又は２以上の溝状通気部を有し、溝状通気部をそれぞれ挟む両側に、背負い心地を良くして振動を低減させることができるクッション性材料からなる背中支持部が上下方向に設けられているので、溝状通気部と使用者の背中の面により、上下方向の通気孔が形成される。この通気孔を、掃除機本体から伝わる熱等による上向きの気流が流れるので、使用者の背中の暑さや汗による蒸れが効果的に防がれる。
【発明を実施するための最良の形態】
【００１２】
本発明の実施の形態を、図面を参照しつつ説明する。
【００１３】
図面は何れも本発明の実施の形態の例としての電気掃除機についてのものであって、図１は側面図、図２は要部水平断面図、図３は正面図、図４は集塵紙袋非取付状態の要部断面図、図５は集塵紙袋取付状態の要部断面図である。
【００１４】
掃除機本体１０は、下部に送風機室１０ａ、上部に集塵室１０ｂを備えた真空吸引式である。
【００１５】
送風機室蓋１２により開閉し得る送風機室１０ａには、内蔵蓄電池と、その内蔵蓄電池（外部電源を用いるものとすることもできる）により駆動される電動機により回転駆動する送風機を備える。送風機が作動すると、集塵室１０ｂから集塵室フィルタを経て吸引された空気が、側方排気孔２０及び下方排気孔２２から排気される。集塵室１０ｂから吸引されて側方排気孔２０に排出される空気は、その経路に位置する内蔵蓄電池を冷却する効果を奏する。
【００１６】
集塵室蓋２４により開閉し得る集塵室１０ｂは、外部において略上方に開口する吸引孔２６を通じて外部に連通する。集塵室１０ｂ内には、集塵口が中央部に開口する集塵口板２８ａを備えた紙製の使い捨て集塵袋２８（必ずしも使い捨てに限るものではない。）が着脱可能に取付けられる。集塵袋２８は、集塵室１０ｂ内における吸引孔２６の下端突出部２６ａに集塵口板２８ａの集塵口が嵌合した状態で取付けられる。吸引孔２６の下端突出部２６ａの内径は吸引孔２６の上端の外部開口２６ｂの内径よりも大きいので、タバコの吸殻等の長寸物を吸引した場合に吸引孔２６に詰まりにくい構成となっている。吸引孔２６の外部開口２６ｂには、先端に吸引ヘッドＤが取り付けられる吸引ホースＨが連結されている。
【００１７】
集塵室１０ｂの開口部の上部には、集塵口板保持体３０が設けられている。この集塵口板保持体３０は、基部３０ａを中心として、基部３０ａから突出した集塵袋保持腕３０ｂが下方に位置する保持位置（図５）と、集塵袋保持腕３０ｂが集塵室１０ｂ内方に位置する非保持位置（図４）との間を揺動し、ねじりコイルバネ（図示せず）により、保持位置側に向かって付勢されている。
【００１８】
図５のように集塵袋２８を取付けた状態においては、集塵袋保持腕３０ｂの内方突出爪３０ｃが集塵口板２８ａの外方側縁部に掛合して集塵口板２８ａを上向きに支持し、集塵袋保持腕３０ｂの中間部において外方突設された集塵袋ロック部３０ｄの上側に、集塵室１０ｂを閉じる集塵室蓋２４の内側に設けられた突起部２４ａが位置する。この突起部２４ａにより、集塵袋ロック部３０ｄの上方動による集塵口板２８ａの取り外し（集塵袋２８の取り外し）が防がれる。集塵室蓋２４を外して集塵袋ロック部３０ｄが上方動するように集塵袋保持腕３０ｂを回動させれば集塵袋２８を取り外すことができる。
【００１９】
図４のように集塵袋２８が取付けられていない状態においては、集塵室蓋２４の内側に設けられた突起部２４ａが、基部３０ａに設けられた阻止突部３０ａ１に当接することにより、集塵室蓋２４による閉蓋が阻止される。集塵室１０ｂが集塵室蓋２４により閉蓋されていない状態では、送風機を作動させても吸引孔２６からの吸引が行われないので、集塵袋２８を取付けずに集塵することが防がれる。
【００２０】
掃除機本体１０の背面側には、掃除機本体１０を背負った状態において使用者の背中Ｋと掃除機本体１０との間に介在する背板３２が、掃除機本体１０との間に水平方向間隔を設けた状態で取付部３３により支持されている。取付部３３以外においては、背板３２と掃除機本体１０は離隔している。
【００２１】
背板３２のうち、掃除機本体１０を背負った状態において使用者の背中Ｋに面する表面側には、上下方向に連続して上下端部がそれぞれ上下に開放した溝状通気部３４を有し、溝状通気部３４をそれぞれ挟む両側には、クッション性材料からなる背中支持部３６が上下連続状に設けられている。この溝状通気部３４は、背板３２の表面が溝底部を構成し、両側の背中支持部３６が溝側部（溝の両側を構成する部分）を構成する。
【００２２】
また、掃除機本体１０は、背負うための一対の肩紐３８及び腰ベルト４０を備える。掃除機本体１０の電源を開閉する手元スイッチ４２が、本体から延出されたコード４４の先端部に設けられており、この手元スイッチ４２には、腰ベルト４０等に掛止し得るフック部４２ａが設けられている。また、腰ベルト４０には、吸引清掃用の各種吸い口を着脱し得る着脱部が形成されている。更に、背板３２の下端部の左右には、掃除機本体１０の上端に突設された把手部１０ｃを把持して床面等の上を走行させるための車輪４６を備える。
【００２３】
使用者が背負う掃除機本体１０は、使用中、電動機の作動により発熱する。ところが、掃除機本体１０を背負った状態において使用者の背中Ｋと掃除機本体１０との間に背板３２が介在し、掃除機本体１０と使用者の背中Ｋを遮っており、而も背板３２は掃除機本体１０との間に間隔を設けた状態で支持されているため、掃除機本体１０から使用者に伝わる熱量が効果的に低減される。
【００２４】
更に、背板３２のうち、掃除機本体１０を背負った状態において使用者の背中Ｋに面する表面側に、上下方向に連続（上下方向に不連続とすることもできるが、後述の通気上、連続が好ましい。）して上下端部がそれぞれ上下に開放した溝状通気部３４を有し、溝状通気部３４をそれぞれ挟む両側の溝側部は、背負い心地を良くして掃除機本体１０の電動機による振動を低減させることができるクッション性材料製の上下連続状の背中支持部３６からなるので、溝状通気部３４と使用者の背中Ｋの面により、上下方向の通気孔が形成される。この通気孔を、掃除機本体１０から伝わる熱等による上向きの気流が流れるので、使用者の背中Ｋの暑さや汗による蒸れが効果的に防がれる。
【図面の簡単な説明】
【００２５】
【図１】側面図である。
【図２】要部水平断面図である。
【図３】正面図である。
【図４】集塵紙袋非取付状態の要部断面図である。
【図５】集塵紙袋取付状態の要部断面図である。
【符号の説明】
【００２６】
１０      掃除機本体
１０ａ    送風機室
１０ｂ    集塵室
１０ｃ    把手部
１２      送風機室蓋
２０      側方排気孔
２４      集塵室蓋
２４ａ    突起部
２６      吸引孔
２６ａ    下端突出部
２６ｂ    外部開口
２８      集塵袋
２８ａ    集塵口板
３０      集塵口板保持体
３０ａ    基部
３０ａ１  阻止突部
３０ｂ    集塵袋保持腕
３０ｃ    内方突出爪
３０ｄ    集塵袋ロック部
３２      背板
３３      取付部
３４      溝状通気部
３６      背中支持部
３８      肩紐
４０      腰ベルト
４２      手元スイッチ
４２ａ    フック部
４４      コード
４６      車輪
Ｄ        吸引ヘッド
Ｈ        吸引ホース
Ｋ        背中
【図１】
2005323917.tif 000003
【図２】
2005323917.tif 000004
【図３】
2005323917.tif 000005
【図４】
2005323917.tif 000006
【図５】
2005323917.tif 000007